(57)【要約】  本発明は、無線通信ネットワーク（１）のためのデータ集中ゲートウェイ（３）の負荷を制御するための方法に関し、複数の遠隔クライアント装置から複数のデータ信号を受信し、受信した各データ信号の通信開始日を提供し、受信データ信号を選択し、受信した各データ信号の通信終了日を決定し、選択されたデータ信号と異なり選択されたデータ信号の通信開始日と選択されたデータ信号の通信終了日との間に存する通信終了日を有するゲートウェイによって受信されたデータ信号の数を決定し、数のデータ信号を閾値数と比較し、データ信号の数が閾値数より大きいという検出に応答して警報信号を送信する、ことを含む。【選択図】図１
2019531011.tif 000002
【特許請求の範囲】
【請求項１】
無線通信ネットワークのためのデータ集中ゲートウェイの負荷を制御する方法であって、
複数の遠隔クライアント装置から複数のデータ信号を受信し、
受信した各データ信号の通信開始日を提供し、
受信したデータ信号を選択し、
受信した各データ信号の通信終了日を決定し、
前記選択したデータ信号の通信開始日と前記選択したデータ信号の通信終了日との間に存する通信終了日を有する、前記ゲートウェイが受信したデータ信号の数を決定し、
前記データ信号の数を閾値数と比較し、
前記データ信号の数が前記閾値数より大きいという検出に応答して警報信号を送信する
データ集中ゲートウェイの負荷を制御する方法。
【請求項２】
前記ゲートウェイが、複数の復調器を備え、前記ゲートウェイの各復調器は前記ゲートウェイによって受信されたデータ信号を復調するように構成され、
方法には、
前記複数のデータ信号を前記復調器によって復調するステップがさらに含まれ、
前記閾値数が前記ゲートウェイ内の復調器の数に対応する、
請求項１に記載の制御方法。
【請求項３】
前記ゲートウェイは、複数の無線データ信号を受信するように構成された無線通信インタフェースを含み、前記無線通信インタフェースが前記復調器に接続され、
前記通信インタフェースによって受信された各データ信号をそれぞれの復調器に送信するステップがさらに含まれる、請求項２に記載の制御方法。
【請求項４】
前記ゲートウェイは前記信号を受信するためのアンテナをさらに備える、請求項３に記載の制御方法。
【請求項５】
前記受信アンテナは、４３３ＭＨｚ、８６８ＭＨｚ、及び９１５ＭＨｚの周波数のグループの中の１つの周波数でデータ信号を受信するように構成される、請求項４に記載の制御方法。
【請求項６】
各データ信号は、ＬｏＲａ技術、Ｓｉｇｆｏｘ技術及びＷＭ−ＢＵＳ技術の中から選択される通信プロトコルのフレームである、請求項１〜５のいずれか一項に記載の制御方法。
【請求項７】
各受信データ信号の通信終了日を決定することには、各受信したデータ信号について、
前記受信したデータ信号に対応するフレーム長を決定し、
前記フレーム長及び前記データ信号を受信した無線チャネルのデータレートの関数として、前記受信したデータ信号に対応する前記フレームの通信終了日を計算する、ことが含まれる、請求項６に記載の制御方法。
【請求項８】
前記ゲートウェイには、受信した各データ信号の通信開始日に対応するタイムスタンプデータ要素を供給することができる内部クロックが設けられている、請求項１〜７のいずれか一項に記載の制御方法。
【請求項９】
データ信号を送信する１組の遠隔クライアント装置を含む無線通信ネットワーク用のデータ集中ゲートウェイであって、
１組のクライアント装置から無線データ信号を受信するように構成された無線通信インタフェースと、
前記通信インタフェースが受信したデータ信号を復調するように構成された複数の復調器と、
請求項１〜８のいずれか一項に記載の制御方法を実行するように構成された制御ユニットと、を備える
データ集中ゲートウェイ。
【請求項１０】
遠隔ネットワークに接続され、前記復調したデータ信号を送信するように構成されたネットワークインタフェースをさらに備える、請求項９に記載のデータ集中ゲートウェイ。
【請求項１１】
前記ゲートウェイは、前記ゲートウェイに接続されたゲートウェイ管理装置に警報データ信号を送信するように構成された警報をさらに備える、請求項９又は１０に記載のデータ集中ゲートウェイ。
【発明の詳細な説明】
【技術分野】
【０００１】
本発明は、特にオブジェクトのインターネットの分野における無線データ通信のための方法及び装置の分野に関する。より詳細には、本発明は、無線通信ネットワーク用のデータ集中ゲートウェイ及びこれらのゲートウェイの制御の分野に関する。
【背景技術】
【０００２】
オブジェクトのインターネットは、無線ネットワークを使用して日常のオブジェクトが自動的にデータを通信することを可能にすることにある。例えば、通信モジュールを装備した水道メータが水の消費に対する請求を担当する事業に水道メータの測定値を自動的に通信することができる。
【０００３】
基地局とも呼ばれるゲートウェイには、通信可能範囲内に存在する通信モジュールとの間でデータを無線で送受信できるようすると共に、これらの処理を担当するデバイス、例えばＩＰプロトコル（「インターネットプロトコル」）に基づくネットワークインターネットにアクセスできるサーバに、これらのデータを中継するという目的がある。
【０００４】
ネットワーク通信モジュールの実装にはいくつかの無線アクセス技術が利用可能である。特に異なる種類の変調に基づくＬｏＲａ（商標）、Ｓｉｇｆｏｘ（商標）又はＷＭ−Ｂｕｓ（英語の「Wireless Meter Bus」から）技術は、本明細書では純粋に例示として及び意図を限定することなく言及され得る。
【０００５】
これらの技術には、長距離（英語では「long range」と呼ばれる）通信を提供するという共通の機能があり、ゲートウェイのカバー範囲を広げながらゲートウェイの数を減らすことができる。
【発明の概要】
【発明が解決しようとする課題】
【０００６】
しかしながら、一方では通信モジュールとゲートウェイとの間の通信、他方ではゲートウェイとゲートウェイを通過するデータの処理を担当する遠隔装置との間の通信は、異なる通信プロトコルに基づいている。従って、ゲートウェイは、対応する情報を関連するさまざまな遠隔装置に送信する前に、自身のカバー範囲内に存在するさまざまな通信モジュールから受信した信号を復調する必要がある。この目的のために、これらの信号はゲートウェイに組み込まれたさまざまな復調器によって処理される。ただし、ゲートウェイによって良好な状態で同時に処理できる信号の数はそれが含む復調器の数によって制限される。さらに、ゲートウェイによって同時に処理される信号の数は時間とともに変化し得る。従って、ゲートウェイの負荷を制御するための方法が必要とされる。
【０００７】
本発明はこの要求を満たすことを可能にする。
【課題を解決するための手段】
【０００８】
この目的のために、本発明は、無線通信ネットワーク用のデータ集中ゲートウェイ上の負荷を制御する方法を提供し、該方法は、複数の遠隔クライアント装置から複数のデータ信号を受信し、受信した各データ信号の通信開始日を提供し、受信データ信号を選択し、受信した各データ信号の通信終了日を決定し、選択したデータ信号の通信開始日と選択したデータ信号の通信終了日との間に存する通信終了日を有するゲートウェイによって受信されたデータ信号の数を決定し、前記データ信号の数を閾値数と比較し、前記データ信号の数が前記閾値数より大きいという検出に応答して警報信号を送信する、ことを含む。
【０００９】
これらの特性のため、ゲートウェイの負荷が同時に処理される信号の閾値数を超えるとすぐにアラームが送信される。従って、これらの特性によりゲートウェイの負荷が所定の閾値を超えていないことを確認できる。
【００１０】
他の有利な実施形態によれば、データ集中ゲートウェイ上の負荷を制御するためのこのような方法は、以下の特徴のうちの１つ又は複数を有し得る。
【００１１】
一実施形態によれば、ゲートウェイは複数の復調器を含み、ゲートウェイの各復調器はゲートウェイによって受信されたデータ信号を復調するように構成され、方法はさらに復調器で複数のデータ信号を復調するステップを含む。
【００１２】
一実施形態によれば、閾値数はゲートウェイ内の復調器の数に対応する。従って、制御方法は、ゲートウェイによって同時に処理される信号の数が、前記データ信号を処理することができる復調器の数を超えないことをチェックすることを可能にする。
【００１３】
一実施形態によれば、ゲートウェイは複数の無線データ信号を受信するように構成された無線通信インタフェースを含み、無線通信インタフェースは復調器に接続され、方法には、通信インタフェースによって受信されたデータ信号のそれぞれを各復調器に送信するステップが含まれる。
【００１４】
一実施形態によれば、ゲートウェイは信号を受信するためのアンテナをさらに備える。
【００１５】
一実施形態によれば、受信アンテナは、４３３ＭＨｚ、８６８ＭＨｚ、及び９１５ＭＨｚの周波数のグループ内の周波数でデータ信号を受信するように構成される。
【００１６】
一実施形態によれば、各データ信号は、ＬｏＲａ技術、Ｓｉｇｆｏｘ技術及びＷＭ−ＢＵＳ技術の中から選択された通信プロトコルのフレームである。
【００１７】
一実施形態によれば、各受信データ信号の通信終了日を決定することは、各受信データ信号について受信データ信号に対応するフレームの長さを決定し、フレーム長さ及びデータ信号が受信された無線チャネルのデータレートの関数として受信データ信号に対応するフレームの通信終了日を計算する、ことが含まれる。
【００１８】
一実施形態によれば、ゲートウェイは、受信した各データ信号の通信開始日に対応するタイムスタンプデータ要素を提供することができる内部クロックを備える。
【００１９】
一実施形態によれば、制御方法は、複数のデータ信号の各データ信号の通信終了日をゲートウェイのメモリに格納することをさらに含む。
【００２０】
一実施形態によれば、ゲートウェイ制御方法にはさらに、ゲートウェイに接続されている遠隔装置から同期データを受信し、同期データに基づいてゲートウェイの内部クロックを同期させることが含まれる。
【００２１】
一実施形態によれば、本発明はまた、データ信号を送信する一組の遠隔クライアント装置を含む無線通信ネットワーク用のデータ集中ゲートウェイを提供し、集中ゲートウェイが、一組のクライアント装置から無線データ信号を受信するように構成された無線通信インタフェースと、通信インタフェースによって受信されたデータ信号を復調するように構成された複数の復調器と、上記制御方法を実行するように構成された制御ユニットとを備える。
【００２２】
一実施形態によれば、集中ゲートウェイは、遠隔ネットワークに接続され、復調データ信号を送信するように構成されたネットワークインタフェースをさらに備える。
【００２３】
一実施形態によれば、集中ゲートウェイはさらに、ゲートウェイに接続されたゲートウェイ管理装置に警報データ信号を送信するように構成された警報を備える。このようなゲートウェイ管理装置は、例えば、遠隔ネットワークを介してゲートウェイに接続されている。このようなゲートウェイ管理装置は複数のゲートウェイに接続することができる。
【００２４】
本発明のいくつかの態様は、ゲートウェイ上の負荷を制御するための方法を提供するという考えに基づいている。本発明のいくつかの態様は、ゲートウェイ過負荷が検出された場合に警報を送信するという考えに基づいている。本発明のいくつかの態様は、ゲートウェイによって同時に処理されたデータ信号の数を決定するという考えに基づいている。本発明のいくつかの態様は、ゲートウェイによって同時に受信され処理されるデータ信号の数がゲートウェイ内の復調器の数を超えないことをチェックするという考えに基づいている。いくつかの態様は、ゲートウェイによって受信された各データ信号についてゲートウェイ負荷を監視するという考えに基づいている。
【００２５】
本発明のその他の目的、詳細、特徴及び利点が、単に例示を目的として非限定的に提供される本発明のいくつかの特定の実施形態の以下の説明から、よりよく理解されると共により容易に明らかになるであろう。
【図面の簡単な説明】
【００２６】
【図１】集中ゲートウェイを介した無線ローカルエリアネットワークと広域ネットワークとの間の相互接続の概略図である。
【図２】図１の集中ゲートウェイの概略機能図である。
【図３】図２のゲートウェイ上の負荷を制御するための方法の動作図である。
【図４】所与の期間に図２のゲートウェイによって受信された複数のフレームを示すグラフである。
【発明を実施するための形態】
【００２７】
図１において、第１の無線ローカルエリア通信ネットワーク（ＷＬＡＮ、「無線ローカルエリアネットワーク」のこと）１が、以降無線ローカルエリアネットワーク１と呼ばれるが、広域通信ネットワーク２（ＷＡＮ、「広域ネットワーク」のこと）例えばインターネットと、ゲートウェイ３を介して相互接続される。このゲートウェイ３は、それが無線ローカルエリアネットワーク１と広域ネットワーク２の両方に属することを可能にするネットワークインタフェースを含む。
【００２８】
ゲートウェイ３に加えて、無線ローカルエリアネットワーク１は、例示として図１に４つ示されている１組の通信オブジェクト４を含む。これらの通信オブジェクト４は、例えば、水道メータ、ガスメータ、又は他のメータなどの無線センサとすることができる。従って、無線通信モジュールを備えたこれらの通信センサは、それらの特性に応じて、水、ガス又は他のメータの測定値などの測定データを集中ゲートウェイ３に通信することができる。これら通信オブジェクト４は一般に、「低消費」オブジェクトと呼ばれている非常に少ないエネルギーを消費し、そして非常に低いデータレート、例えば２ｋｂｐｓ未満の通信手段を使用する固有の特徴を有する。
【００２９】
通信オブジェクト４は、大部分が電池又は蓄電池で動作する。それらの電力消費を最適化するために、通信オブジェクト４がデータを送信又は受信することができる期間は制限される。これらの送信期間及び／又は受信期間外では、通信オブジェクト４は、例えば待機状態にあり、それによってそれらの電力消費を低減する。図１においては、無線ローカルエリアネットワーク１は、例えば、Ｚｉｇｂｅｅネットワーク、ＬｏＲａネットワーク、従来型又は低エネルギー（Ｂｌｕｅｔｏｏｔｈ（登録商標）  Ｓｍａｒｔ）タイプのＢｌｕｅｔｏｏｔｈ（登録商標）ネットワーク、又はＩＰ通信ネットプロトコルに基づかない他の任意のネットワークである。しかしながら、この無線ローカルエリアネットワーク１は明示的ネットワークであり、即ち、各通信オブジェクト４は、それ自体の識別子、例えばＭＡＣアドレス（Ｍｅｄｉａ  Ａｃｃｅｓｓ  Ｃｏｎｔｒｏｌ）によって、この無線ローカルエリアネットワーク１内で一意に識別することができる。
【００３０】
広域ネットワーク２は、その一部として、インターネット、３Ｇ／４Ｇ、又は他の通信ネットワークなどのネットワークであるＩＰ通信プロトコルに基づいている。この広域ネットワーク２は、ゲートウェイ３に加えて、サーバ、ＤＮＳ（「ドメインネームシステム」）サーバ、データベース記憶装置などの遠隔装置５を含む。この広域ネットワーク２に接続されている各遠隔装置５は、ＩＰアドレスによって識別される。遠隔装置５は、無線ローカルエリアネットワーク１上に存在する様々な通信オブジェクト４のいくつか又はすべてから情報を収集し処理するように構成されている。
【００３１】
無線ローカルエリアネットワーク１及び広域ネットワーク２は異種通信プロトコルを使用するので、ゲートウェイ３は通信オブジェクト４と遠隔装置５との間のインタフェースとして機能する。通常、ゲートウェイ３は、データを通信装置４から遠隔装置５に及びその逆に通信するためのスイッチングプラットフォームとして機能する。従って、ゲートウェイ３は、一方では矢印３７で示すように各通信オブジェクト４と、そして他方では矢印３８で示すように遠隔装置５との双方向通信セッションを確立するためのメカニズムを持たなければならない。通信オブジェクト４及び遠隔装置５とこれらの双方向通信を確立するためのゲートウェイ３の一例が図２に示されている。
【００３２】
図２に示すゲートウェイ３は複数の構成要素を含む。特に、ゲートウェイ３は、無線フロントエンドモジュール６、ベースバンド処理モジュール７、マイクロコントローラ８、内部メモリ９、ユーザインタフェース１０、ＧＰＳ１１、クロック１２、及びネットワークインタフェース１３を備える。
【００３３】
無線フロントエンドモジュール６は、通信対象４との間で電波を送受信する機能を有する。この目的のために、無線フロントエンドモジュール６は少なくとも１つの無線アンテナ（図示せず）を備える。この無線アンテナは、無線伝送路を介して通信オブジェクト４と交換するデータを搬送する電波を放射又は捕捉するためのものである。無線フロントエンドモジュール６は、例えば、現在の規制に従って、４３３ＭＨｚ、８６８ＭＨｚ、９１５ＭＨｚ、又は他の周波数の周波数を有する無線チャネル上で通信オブジェクト４と通信することができる。無線フロントエンドモジュール６はゲートウェイ３のベースバンド処理モジュール７に接続されて、ゲートウェイ３によって受信された無線信号を送信しゲートウェイ３によって送信されるべきデータ信号を受信する。
【００３４】
ゲートウェイ３のベースバンド処理モジュール７は、マイクロコントローラ８による処理のためにゲートウェイ３によって受信されたデータ信号を準備する機能を有する。この目的のために、ベースバンド処理モジュール７は調停モジュール１４、複数の復調器１５及びバッファメモリ１６を備える。
【００３５】
調停モジュール１４は、無線フロントエンドモジュール６からすべてのデータ信号を受信する。調停モジュール１４はすべての復調器１５に接続されている。調停モジュール１４はゲートウェイ３が受信したデータ信号を復調器１５に配信する。ゲートウェイによって受信されたデータ信号の送信は多数の配信基準に従って実行され得る。この配信は、例えば、復調器１５の利用可能性、データ信号のデータレート、無線通信チャネル、データ信号の強度、又は他の要因に基づいて実行することができる。
【００３６】
調停モジュール１４は、異なるデータレートで受信されたデータ信号の状況を含めて、復調されるべきパケットの複数のヘッダを同時に検出することができる。しかしながら、各復調器は一度に１つのパケットしか復調できない。従って、ゲートウェイ３によって同時に復調され得るパケットの数は、ゲートウェイ３に組み込まれている復調器１５の数によって制限される。
【００３７】
ベースバンド処理モジュール７に組み込まれた復調器１５は、異なる特性、特に要求に従ってさまざまなプログラム可能性特性を有することができる。
【００３８】
従って、第１の変形形態では、復調器１５は、複数の許可された周波数の中から所与の周波数を使用するように構成可能であり得る。復調器１５の復調帯域幅は、例えば、１２５、２５０、又は５００ｋＨｚに構成することができる。復調器１５によって許可されるデータレートはまた、複数の利用可能なデータレートの中からの任意のデータレートで構成されてもよい。しかしながら、復調器１５が実際に構成されているデータレートを有する１つのデータ信号のみが復調される。そのように構成可能な復調器１５は、他のゲートウェイ又は遠隔装置５への高データレートリンクとして機能するように意図されていることが好ましい。
【００３９】
第２の変形例では、復調器１５は、変更又は構成されていない通過帯域、例えば１２５ｋＨｚの所定の通過帯域で動作するように設計されてもよい。しかしながら、この第２の変形による復調器１５のデータレートは適応可能なままであるので、この第２の変形による復調器１５は予備構成なしに異なるデータレートで信号を受信することができる。この第２の変形による復調器１５は、好ましくは、多数の通信オブジェクト４を含むスター型ネットワークに専用に使用される。好ましくは、ゲートウェイ３の近くに位置する通信オブジェクト４は、１２５ｋＨｚ（例えば、約６ｋｂｉｔ／ｓ）の固定通過帯域における最大可能データレートを使用するのに対して、ゲートウェイ３から遠い通信オブジェクト４は、より低いデータレート（１２５ｋＨｚのチャネルに対する最小ＬｏＲａデータレートに対応する３００ｂｉｔ／ｓまで）を使用するであろう。
【００４０】
好ましくは、通信オブジェクト４は、送信毎にそれらの送信周波数を変更することができ、従って複雑さを追加することなくそれらのリンクの構成に従って動的データレートの適応を可能にする。さらに、全てのデータレートがベースバンド処理モジュール７によって並行して復調されるので、異なる通信オブジェクト４によって使用されるデータレートのテーブルを更新する必要がない。
【００４１】
復調器１５によって復調された各パケットはメタデータと関連付けられる。これらのメタデータは、ベースバンド処理モジュール７によって検出される。これらのメタデータは、パケット送信の開始日、パケット長、及びパケット送信のデータレートを含む。復調されたパケット及び関連するメタデータは、ベースバンド処理モジュール７のバッファメモリ１６に格納される。ベースバンド処理モジュール７は、ゲートウェイ３のマイクロコントローラ８がベースバンド処理部７のバッファメモリ１６にアクセスできるようにゲートウェイ３のマイクロコントローラ８に接続されている。
【００４２】
ベースバンド処理モジュール７では、復調器１５のいずれかがパケットを復調するときはいつでも、このパケットがメタデータと呼ばれる追加情報と共にバッファメモリ１６に格納される。メタデータは、例えば、無線チャネル識別子、パケットの長さにわたる平均信号対雑音比（ｄＢ）、パケットの長さにわたる最小の信号対雑音比（ｄＢ）、パケットの長さにわたる最大信号対雑音比（ｄＢ）、パケットの持続時間にわたる平均信号強度（ｄＢ）、パケットの開始に関するタイムスタンプデータ、誤り訂正コード値、復調器の識別子、相関ピーク位置、及び検出相関の信号対雑音比を含む。
【００４３】
同様に、ベースバンド処理モジュール７を使用して、無線フロントエンドモジュール６によって送信されるべき遠隔装置５からのデータを、無線フロントエンドモジュール６に送信することができる。ゲートウェイ３に組み込まれ得るベースバンド処理モジュール７の例は、米国のＳｅｍｔｅｃｈ（登録商標）によって製造されたＳＸ１３０１プロセッサである。
【００４４】
マイクロコントローラ８はゲートウェイ３のすべての要素に接続されて、ゲートウェイ３を管理し無線ローカルエリアネットワーク１と広域ネットワーク２との間のデータ転送を可能にする。具体的には、マイクロコントローラ８が用いられてゲートウェイ３の各種動作処理を実行する。各種動作処理を規定するプログラムは例えばゲートウェイ３の内部メモリ９に格納されている。これらの動作処理は、ゲートウェイ３を管理することができる任意のタイプのもの、例えばゲートウェイによって受信されたデータ信号を処理しそれらを受信者に送信する処理、参照データを提供するＧＰＳ１１を使用してゲートウェイ３を同期させる処理、あるいは、クロック１２を使用して様々な通信オブジェクト４を同期させる処理である。
【００４５】
ユーザインタフェース１０は、ゲートウェイ３を構成するための複数の入出力手段を備える。これらの入出力手段は、例えば、内部メモリ９へのアクセスを提供する入出力ポート、ＵＳＢ接続デバイス、又は他の手段などのコネクタである。ユーザインタフェースはまた、制御画面、ゲートウェイの動作状態を示すＬＥＤランプ、又は他の手段などのヒューマンマシンインタフェース手段を含み得る。
【００４６】
ゲートウェイ３のネットワークインタフェース１３は、広域ネットワーク２を介してゲートウェイ３を遠隔装置５に接続するのに使用されてもよい。
【００４７】
ゲートウェイ３は、例えば電力供給用のバッテリ（図示せず）を備える。
【００４８】
図３は、図２のゲートウェイ上の負荷を制御する方法の動作図である。
【００４９】
上述したように、ゲートウェイ３が通信対象４からデータ信号を受信すると、対応するパケットはベースバンド処理モジュール７の復調器１５の１つに送信されて処理される。メタデータに関連付けられベースバンド処理モジュール７のバッファメモリ１６に格納された各復調パケットは、ゲートウェイ３の負荷を制御する方法の実行を生成する。これについては、図３を参照してこれから説明する。
【００５０】
復調器がフレーム開始日ｄｄｔ１を検出すると（ステップ１７）、フレーム開始日ｄｄｔ１はメタデータ要素としてバッファメモリ１６に記録される（ステップ１８）。マイクロコントローラ８はまたフレーム開始日ｄｄｔ１を読み取り、対応するフレーム終了日ｄｆｔ１を決定する（ステップ１９）。この目的のために、マイクロコントローラ８は、例えばフレーム持続時間ｄｔ１がメタデータに含まれて復調器１５によって供給されるなどの任意の可能な手段で、フレーム持続時間ｄｔ１を決定する（ステップ２０）。フレーム終了日ｄｆｔ１は、次式に従って、フレーム期間ｄｔ１に基づいて計算される（ステップ２２）。
ｄｆｔ１＝ｄｄｔ１＋ｄｔ１
ここで、ｄｔ１＝ｌ／ｄｄｃｔ１で、ｌは、ビット単位のフレーム長、ｄｄｃｔ１はチャネルのデータレート（ｂｐｓ単位）である。
【００５１】
この目的のために、マイクロコントローラ８は、フレーム長ｌ（ビット）及びフレームが通過したチャネルのデータレートｄｄｃｔ１を決定する。チャネルｄｄｃｔ１のこのデータレートは、それ自身のパラメータに基づいて復調器１５によって直接供給される。
【００５２】
フレーム終了日ｄｆｔ１が決定されたので（ステップ１９）、マイクロコントローラ８は、フレーム開始日ｄｄｔ１とフレーム終了日ｄｆｔ１との間にあるフレーム終了日を有するゲートウェイ３によって受信されたフレームの数Ｎを決定する（ステップ２３）。この目的のために、マイクロコントローラ８は、ベースバンド処理モジュール７のバッファメモリ１６に格納されているメタデータを調べることができる。
【００５３】
次に、マイクロコントローラ８は、１だけ増分されたフレーム数Ｎを、例えばゲートウェイ３に存在する復調器１５の数Ｍに等しい閾値Ｓと比較する（ステップ２４）。Ｎを１だけインクリメントすることにより、フレーム開始日ｄｄｔ１の受信（ステップ１７）が処理の実行を発生させたフレームを考慮することが可能になる。ゲートウェイに存在する復調器１５の数は既知の数Ｍであり、これは例えばゲートウェイ３の内部メモリ９に記憶されている。
【００５４】
この数Ｎ＋１がゲートウェイ３内に存在する復調器１５の数Ｍより厳密に小さい場合（ステップ２５）、ゲートウェイへの負荷が重要でないと考慮されるので、方法はマイクロコントローラ８による追加の動作無く終了する（ステップ２６）。
【００５５】
一方、数Ｎ＋１がゲートウェイ３に存在する復調器１５の数Ｍ以上である場合（ステップ２７）、マイクロコントローラ８は警報を送信する（ステップ２８）。そのような警報は、ゲートウェイ３、光信号、又はゲートウェイ３のユーザインタフェース１０に組み込まれた拡声器を使用する又は他の適切な手段による可聴警報、を管理するための任意の適切な方法、例えば遠隔サーバへのメッセージ送信の形態で生成される。
【００５６】
警報が送信されると（ステップ２８）、ゲートウェイ３の管理及び／又は保守を担当する担当者は、ゲートウェイ３の過負荷を知らされる。次いで、ゲートウェイ３が過負荷のままであることを防ぐためにいくつかの応答が行われ得る。従って、復調器１５をゲートウェイ３に物理的に追加してその処理能力を増大させ、従って警報が送信される以上に閾値数を増加させることができる。別の解決策は、通信オブジェクト４を再プログラムして通信オブジェクト４からのアップロードを減らしそれによって復調器１５のいくつかによって受信されたフレーム終了日を時間の経過とともに拡散させるか、又は通信オブジェクト４によって送信されるパケットを短縮する。
【００５７】
上述のようにゲートウェイ３の負荷を制御する方法は、好ましくは、検出された新しいフレーム開始日ごとに実行される。ゲートウェイ３の負荷を制御するためのこのような方法は、ゲートウェイ３上の負荷を簡単で経済的な方法で推定することを可能にする。これは、この方法によって低い計算コストで復調器１５の負荷をリアルタイムに決定することができるからである。従って、ゲートウェイ３の負荷を制御するためのこの方法は、その性能を低下させる危険性の無くゲートウェイ３において実施することができる。
【００５８】
警報をトリガするための閾値数、即ち、ステップ２４において数Ｎ＋１が比較される数Ｓは、内部メモリ９に記憶されてもよく、またゲートウェイ３に存在する復調器１５の数以外の値を表してもよい。例えば、この閾値数は、２より少ない復調器の数に対応するように作られてもよく、従って、すべての復調器１５が飽和する以前に警報を生成することを可能にする。
【００５９】
図４は、所定期間内に図２のゲートウェイ３によって受信された複数のフレームの一例を示すグラフである。この図では、横軸は時間を表し、縦軸は、経時的にゲートウェイ３によって受信されたデータ信号を処理する異なる復調器１５を示す。
【００６０】
このグラフは、ゲートウェイ３の復調器Ｍ３によるフレームｔ３の処理後に実行されるゲートウェイ３の負荷を制御する方法に関する。フレームｔ３では、フレーム開始日ｄｄｔ３とフレーム終了日ｄｆｔ３とがグラフィックインタフェース７のバッファメモリ１６に格納される、又はフレームｔ３に対応するパケットに関連するメタデータを使用してマイクロコントローラ８によって決定される。さらに、図３を参照して説明したゲートウェイの負荷を制御する処理の実行は、フレーム終了日がフレーム開始日ｄｄｔ３とフレーム終了日ｄｆｔ３との間にあるフレームの数Ｎを決定するステップを含む。図４に示すように、フレームｔ１及びｔ２のみがそれぞれフレーム終了日ｄｆｔ１及びｄｆｔ２を有するフレーム開始日ｄｄｔ３より後かつフレーム終了日ｄｆｔ３より前である。他のフレームは、フレーム終了日ｄｆｔ３より後のフレーム終了日を有する。従って、この場合、復調器Ｍ３によるフレームｔ３の処理の後に実行されるゲートウェイの負荷を制御する方法は、フレーム終了日を有するフレームの間のＮ＋１個のフレームの間にあるのでアラームを生成しない。何故なら、フレーム開始日ｄｄｔ３及びフレーム終了日ｄｄｆ３の間に存するフレーム終了日を有するフレームの番号Ｎ＋１、即ちＮ＝３は、図４に示す場合では６である復調器の数Ｍより少ないからである。
【００６１】
本発明をいくつかの特定の実施形態を参照して説明したが、明らかにこれらの実施形態に限定されるものではなく、記載された手段のすべての技術的均等物及びそれらの組み合わせは本発明の範囲内に含まれる。
【００６２】
表された要素のいくつか、特にゲートウェイの構成要素は、ハードウェア及び／又はソフトウェア構成要素を使用して、単一の形又は分散された形でさまざまな形で作ることができる。使用可能なハードウェア構成要素は、ＡＳＩＣ特有の集積回路、ＦＰＧＡプログラマブルロジックネットワーク、又はマイクロプロセッサである。ソフトウェアコンポーネントは、Ｃ、Ｃ＋＋、Ｊａｖａ（登録商標）又はＶＨＤＬなどの様々なプログラミング言語で書かれていてもよい。このリストは網羅的なものではない。
【００６３】
「有する」、「備える」、又は「含む」という動詞及びその活用形の使用は、請求項に記載されているもの以外の要素又はステップの存在を排除するものではない。
【００６４】
請求項において、括弧内の如何なる参照符号も請求項の限定として解釈されるべきではない。
【図１】
2019531011.tif 000003
【図２】
2019531011.tif 000004
【図３】
2019531011.tif 000005
【図４】
2019531011.tif 000006
【国際調査報告】
2019531011.tif 000007
2019531011.tif 000008
2019531011.tif 000009
2019531011.tif 000010
2019531011.tif 000011
2019531011.tif 000012